(57)【要約】【課題】車両の点検整備の際、点検作業員は、手に何も持たずに、点検作業を行えることを目的とする。【解決手段】本発明の頭部装着型表示装置を用いた車両の検査補助装置は、装着者が視認可能な表示部と音声入力部とを有する頭部装着型表示装置と、該頭部装着型表示装置に接続された演算処理装置とよりなり、前記演算処理装置は、前記音声入力部に入力された指示に従い、車両検査ストール内の各装置に前記指示内容を送信する演算部を有することを特徴とする。【選択図】図１
2018179954.tif 000002
【特許請求の範囲】
【請求項１】
装着者が視認可能な表示部と音声入力部とを有する頭部装着型表示装置と、該頭部装着型表示装置に接続された演算処理装置とよりなり、
前記演算処理装置は、前記音声入力部に入力された指示に従い、車両検査ストール内の各装置に前記指示内容を送信する演算部を有することを特徴とする頭部装着型表示装置を用いた車両の検査補助装置。
【請求項２】
装着者が視認可能な表示部と音声入力部とを有する頭部装着型表示装置と、該頭部装着型表示装置に接続された演算記憶処理装置とよりなり、
該演算記憶処理装置は、記憶部と演算処理部とよりなり、
前記記憶部は、点検される車両に対応した点検項目が記憶された点検項目データ部と、該点検項目ごとに、点検結果が記憶される点検測定データ記憶部とを有し、
前記演算処理部は、前記音声入力部からの音声を識別する音声認識部と、該音声認識部により認識された音声内容に応じて、該音声内容を前記記憶部に記憶させると共に、前記記憶部に記憶された内容のうち必要なものを前記表示部に表示させる実行処理部とを有することを特徴とする頭部装着型表示装置を用いた車両の点検記録装置。
【請求項３】
前記頭部装着型表示装置は、撮像装置を有し、
前記演算記憶処理装置の記憶部は、前記撮像したデータを記憶する車両データ記憶部を有することを特徴とする請求項２に記載の頭部装着型表示装置を用いた車両の点検記録装置。
【請求項４】
前記記憶部に記憶された点検結果を印字する印字装置を別途設けたことを特徴とする請求項２又は請求項３に記載の頭部装着型表示装置を用いた車両の点検記録装置。
【請求項５】
装着者が視認可能な表示部と音声入力部とを有する頭部装着型表示装置と、該頭部装着型表示装置に接続された演算処理装置とよりなり、
該演算記憶処理装置は、前記音声入力部からの音声を識別する音声認識部と、車両検査ストール内の各装置をそれぞれ遠隔で操作できる遠隔操作部とよりなることを特徴とする頭部装着型表示装置を用いた車両検査装置等の遠隔操作装置。
【請求項６】
装着者が視認可能な表示部と音声入力部とを有する頭部装着型表示装置と、該頭部装着型表示装置に接続された演算処理装置とよりなり、
該演算記憶処理装置は、前記音声入力部からの音声を識別する音声認識部と、車両検査ストール内の各装置のデータを表示させるデータ表示処理部とよりなることを特徴とする頭部装着型表示装置を用いた指示計等表示装置。
【発明の詳細な説明】
【技術分野】
【０００１】
本発明は、頭部装着型表示装置を用いた車両の検査補助装置、特に、眼鏡型のウェアラブル表示装置を用いた、車両の点検結果を記録できる記録装置や、車両の各検査装置等を遠隔操作できる遠隔操作装置や、前記検査装置等からの計測値等を表示する指示計等表示装置などの車両検査補助装置に関する。
【背景技術】
【０００２】
車両整備で、定期点検や車検を行う際、決められた点検項目に従い、点検や計測を行う必要があり、従来においては、その点検や測定などの点検結果（例えば、良好、交換、調整、清掃、分解、修理、締付、給油、測定値など）を、作業員が、点検項目が記載された記録簿やタブレット状の入力端末装置に記入し、又は入力して、点検結果を記録していた。
【０００３】
また、車両整備で、定期点検や車検を行う際、車両のサイドスリップや、ブレーキや、スピード等の計測等の検査を行う必要があり、かかる検査では、検査員は、車両を運転しながら、前記各測定のための検査装置を遠隔操作する必要があるため、従来、リモコン等の遠隔操作装置を用いて各検査装置を操作していた。
【０００４】
また、前記検査装置による測定値は、車両を整備、点検等を行う検査場（検査ストール）内に設けられた指示計やモニタで確認していた。
【０００５】
例えば、タブレット状の入力端末装置を用いて点検結果を記録できるようにしたものとしては、例えば、特許文献１などがある。
【先行技術文献】
【特許文献】
【０００６】
【特許文献１】特開２００８−２０４３７号公報
【発明の概要】
【発明が解決しようとする課題】
【０００７】
しかしながら、記録簿やタブレット状の入力端末装置への記録は、作業員が手に持って記入する、又は入力して、記録する必要があり、点検や整備の作業に支障をきたす恐れがあった。
【０００８】
また、車両を運転しながらのリモコン等の操作は、誤操作を招くおそれがあった。
【０００９】
また、指示計等を確認するためには、視線を指示計等に移動させる必要があり、また、車両の長さや高さによっては、指示計等を見ることができない場合があった。
【００１０】
本発明は、前記問題点を解消するもので、点検作業員は、リモコンや記録簿や入力端末装置を手に持たずに、車両の運転や、点検、計測等の作業ができると共に、点検結果を記録し、また、点検結果を確認できる車両の検査補助装置を提供することを目的とする。
【課題を解決するための手段】
【００１１】
本発明は前記の目的を達成すべく、本発明の頭部装着型表示装置を用いた車両検査補助装置は、装着者が視認可能な表示部と音声入力部とを有する頭部装着型表示装置と、該頭部装着型表示装置に接続された演算処理装置とよりなり、前記演算処理装置は、前記音声入力部に入力された指示に従い、車両検査ストール内の各装置に前記指示内容を送信する演算部を有することを特徴とする
【００１２】
また、本発明の頭部装着型表示装置を用いた車両の点検記録装置は、装着者が視認可能な表示部と音声入力部とを有する頭部装着型表示装置と、該頭部装着型表示装置に接続された演算記憶処理装置とよりなり、該演算記憶処理装置は、記憶部と演算処理部とよりなり、前記記憶部は、点検される車両に対応した点検項目が記憶された点検項目データ部と、該点検項目ごとに、点検結果が記憶される点検測定データ記憶部とを有し、前記演算処理部は、前記音声入力部からの音声を識別する音声認識部と、該音声認識部により認識された音声内容に応じて、該音声内容を前記記憶部に記憶させると共に、前記記憶部に記憶された内容のうち必要なものを前記表示部に表示させる実行処理部とを有することを特徴とする。
【００１３】
また、前記頭部装着型表示装置は、撮像装置を有し、前記演算記憶処理装置の記憶部は、車両データ記憶部を有することを特徴とする。
【００１４】
また、点検結果を印字する印字装置を別途設けたことを特徴とする。
【００１５】
また、本発明の頭部装着型表示装置を用いた車両検査装置等の遠隔操作装置は、装着者が視認可能な表示部と音声入力部とを有する頭部装着型表示装置と、該頭部装着型表示装置に接続された演算処理装置とよりなり、該演算記憶処理装置は、前記音声入力部からの音声を識別する音声認識部と、車両検査ストール内の各装置をそれぞれ遠隔で操作できる遠隔操作部とよりなることを特徴とする。
【００１６】
また、頭部装着型表示装置を用いた指示計等表示装置は、装着者が視認可能な表示部と音声入力部とを有する頭部装着型表示装置と、該頭部装着型表示装置に接続された演算処理装置とよりなり、該演算記憶処理装置は、前記音声入力部からの音声を識別する音声認識部と、車両検査ストール内の各装置のデータを表示させるデータ表示処理部とよりなることを特徴とする。
【発明の効果】
【００１７】
本発明の頭部装着型表示装置を用いた車両の点検記録装置によれば、点検作業員は、リモコンや記録簿や入力端末装置を手に持たずに、点検、計測等の作業ができると共に、点検結果を記録することができる。
【００１８】
また、車両を操作しながら、測定値などを確認することができるようになる。
【図面の簡単な説明】
【００１９】
【図１】本発明の実施例１の頭部装着型表示装置を用いた車両の点検記録装置の説明図である。
【図２】本発明の実施例１の頭部装着型表示装置の表示部に点検項目を表示させた説明図である。
【図３】本発明の実施例２の頭部装着型表示装置を用いた遠隔操作装置の説明図である。
【図４】本発明の実施例３の頭部装着型表示装置を用いた指示計等表示装置の説明図である。
【図５】本発明の実施例３の頭部装着型表示装置の表示部に横滑り量などを表示させた説明図である。
【発明を実施するための形態】
【００２０】
以下、図１〜図５によって本発明の実施例を説明する。
【実施例１】
【００２１】
（１．構成の説明）
【００２２】
本発明の第１実施例の頭部装着型表示装置を用いた車両の検査補助装置は、車両の点検記録装置に関するものである。
【００２３】
図１は、本発明の第１実施例の頭部装着型表示装置を用いた車両の点検記録装置１を示し、該点検記録装置１は、眼鏡型ウェアラブル表示装置などの頭部装着型表示装置２と、該頭部装着型表示装置２と無線で接続された、パソコンなどの演算記憶処理装置４とよりなる。
【００２４】
前記頭部装着型表示装置２は、例えば、図１に示すように、眼鏡５に装着される本体部６と、映像（画像を含む）が表示される、装着者が視認可能な表示部７とよりなり、前記本体部６には、送受信装置３ａと、撮像装置８と、音声入力部（図示せず）と、音声出力部（図示せず）とが設けられている。
【００２５】
なお、前記表示部７は、例えば、透過型のディスプレイに形成され、背景も視認できる。
【００２６】
なお、前記頭部装着型表示装置２は、眼鏡に装着されるものの他、例えば、眼鏡のように直接、頭部に装着して使用できるものであってもよい。
【００２７】
前記演算記憶処理装置４は、記憶部９と、演算処理部１０とよりなり、前記記憶部９は、車両番号や、車種情報や、車検証情報や、所有者情報や、車両ごとに設定されたバーコード等の車両特定情報などが組となった顧客の車両データが複数記憶された車両データ記憶部９ａと、該各顧客の車両データに対応した点検項目が記憶された点検項目データ記憶部９ｂと、前記点検項目の各項目に対応して、点検の有無や点検結果が記憶される点検結果データ記憶部９ｃと、前記撮像装置８により撮像された撮像データを記憶する撮像データ記憶部９ｄとを有する。
【００２８】
また、前記演算記憶処理装置４には、送受信装置３ｂが設けられている。
【００２９】
なお、前記点検項目には、点検すべき項目や計測すべき項目の他、点検年月日、走行距離なども含まれる。
【００３０】
また、前記演算処理部１０は、前記音声入力部からの音声の内容を認識する音声認識部１０ａと、前記撮像装置８からの映像（画像）から前記顧客の車両データを認識する車両認識部１０ｂと、各種の演算処理を実行させる実行処理部１０ｃとを有する。
【００３１】
また、前記実行処理部１０ｃは、例えば、前記音声認識部１０ａにより認識された音声内容に基づき、前記記憶部９に記憶された内容を、前記頭部装着型表示装置２に前記送受信装置３ａを介して送信して、前記表示部７に表示させ、また、前記撮像装置８により撮像させ、また、音声入力された点検結果や、撮像された画像等を記憶部９に記憶させるなどの処理を行う。
【００３２】
なお、前記演算記憶処理装置４に、プリンターなどの印字装置（図示せず）を設け、必要に応じて、点検結果を印刷できるようにしてもよい。
【００３３】
また、前記演算記憶処理装置４に、モニタ等の表示装置４ａや、入出力装置４ｂを別途設けてもよい。
【００３４】
また、前記演算記憶処理装置４の全部又は一部を、前記頭部装着型表示装置２に設けてもよい。
【００３５】
また、複数の頭部装着型表示装置２を用い、複数の作業員が同時に点検作業を行えるようにしても良い。
【００３６】
（２．使用方法と効果の説明）
【００３７】
次に、本発明の頭部装着型表示装置を用いた車両の点検記録装置の使用方法と効果を説明する。
【００３８】
点検する車両を点検ストールに入庫する。
【００３９】
そして、点検作業員は、頭部装着型表示装置２を頭部に装着する。
【００４０】
点検作業員は、前記表示部７に、これから点検する車両データを表示させるために、前記頭部装着型表示装置２の音声入力部に、例えば、点検される車両の所望の車両データを音声入力することにより、該車両データが前記送受信装置３ａから送信されて、前記演算記憶処理装置４の送受信装置３ｂが受信し、これにより、前記音声認識部１０ａは、入力された音声内容を認識し、そして、前記実行処理部１０ｃは、前記車両データ記憶部９ａに記憶された複数の顧客の車両データから、該音声内容に基づく前記所望の車両データと組となる車両データのうち必要な車両データを取得し、該車両データを前記送受信装置３ｂから送信し、そして、該車両データを前記頭部装着型表示装置２の送受信装置３ａが受信して、前記表示部７に表示されるようになる。
【００４１】
なお、点検される所望の車両データを音声入力する代わりに、車検証や、ナンバープレート（車両番号）や、車両ごとに設けられたバーコード等の車両特定情報の車両データを撮像することにより、前記表示部７に、必要な車両データを表示させるようにしてもよい。
【００４２】
この場合においては、点検作業者が、撮像により車両データを得る旨を、前記頭部装着型表示装置２の音声入力部に音声入力し、これにより、前記音声認識部１０ａは、入力された音声内容が認識し、そして、前記実行処理部１０ｃは、前記撮像装置８により、前記車検証等を撮像させる処理を行う。そして、前記車両認識部１０ｂは、該撮像した画像から前記車両認識部１０ｂにより前記撮像した車両データを認識し、前記実行処理部１０ｃは、前記車両認識部１０ｂにより認識された車両データから、前記車両データ記憶部９ａに記憶された複数の顧客の車両データから、前記認識した車両データと組となる車両データのうち必要な車両データ取得し、該車両データを送信し、これにより、該車両データが前記映像表示部７に表示されるようになる。
【００４３】
次に、点検作業員は、前記表示部７に点検すべき項目を表示させるために、前記頭部装着型表示装置２の音声入力部に、点検項目を表示させる旨の音声入力し、これにより、前記実行処理部１０ｃは、前記点検項目データ記憶部９ｂに記憶された、前記顧客の車両データに対応した点検項目を取得し、該点検項目を送信し、これにより、該点検項目が前記表示部７に表示されるようになる。
【００４４】
そして、点検作業者は、前記表示部７に表示された項目に沿って、点検し、そして、点検作業者が、各項目ごとに、前記音声入力部に、点検結果を、音声入力し、これにより、該点検結果が送信され、該点検結果を受信した前記実行処理部１０ｃは、該点検結果を前記点検結果データ記憶部９ｃに記憶させると共に、該点検結果を送信し、これにより、該点検結果を受信した前記頭部装着型表示装置２の前記表示部７に、例えば、図２に示すように、前記点検項目と前記点検結果が表示されるようになる。
【００４５】
なお、前記実行処理部１０ｃは、更に点検の有無を前記表示部７に、表示させるようにしてもよい。
【００４６】
また、点検項目ごとに、前記音声出力部からの音声により、作業案内や、作業手順等を発するようにしてもよい。また、作業案内や作業手順を前記表示部２に表示するようにしてもよい。
【００４７】
そして、各項目について点検が終了した場合には、必要に応じて、点検結果をプリンター等の印字装置により印刷するようにしてもよい。
【００４８】
また、前記演算記憶処理装置４に別途設けた入出力装置４ｂにより、入出力可能とし、前記モニタ等の表示装置４ａに、車両データや点検結果等を表示させるようにしてもよい。
【００４９】
また、必要に応じて、点検作業中や点検終了時の車両状況や作業状況を記録するようにしてもよく、この場合には、点検作業者は、前記頭部装着型表示装置２の音声入力部に、車両周囲や作業場周囲を撮像する旨の音声入力をし、これにより、前記撮像装置８が、車両周囲や車両場周囲を撮像し、前記実行処理部１０ｃは、該撮像した撮像データを、前記撮像データ記憶部９ｄに記憶させる処理を行うようにしてもよい。
【００５０】
本発明によれば、点検作業員は、記録簿や入力端末装置を手に持たずに、点検、計測等の作業ができると共に、点検結果を記録することができる。
【００５１】
また、通常視野に加えて、点検結果を容易に視認できるようになる。
【００５２】
また、必要に応じて、保存された点検結果の印字や記録を見ることができる。
【実施例２】
【００５３】
本発明の第２実施例の頭部装着型表示装置を用いた車両の検査補助装置は、車両検査装置等の遠隔操作装置に関するものである。
【００５４】
本発明の第２実施例の車両検査装置等の遠隔操作装置は、図３に示すように、眼鏡型ウェアラブル表示装置などの頭部装着型表示装置１１からなり、該頭部装着型表示装置１１は、例えば、眼鏡５に装着される本体部６と、映像（画像を含む）が表示される、装着者が視認可能な表示部７とよりなり、前記本体部６には、送信装置１２と、音声入力部（図示せず）と、演算処理装置１３とが設けられている。
【００５５】
該演算処理装置１３には、前記音声入力部からの音声の内容を認識する音声認識部１３ａと、リフト装置や、サイドスリップやブレーキやスピード等を検査するための各検査装置や、各種表示装置などの車両検査場の検査ストール内のあらゆる各装置をそれぞれ操作することができる遠隔操作部１３ｂと、各種の演算処理を実行させる実行処理部１３ｃとを有する。
【００５６】
本発明の第２実施例においては、点検作業員が、前記頭部装着型表示装置１１の音声入力部に、例えば、サイドスリップテスターなどの装置を操作する旨を音声入力することにより、前記遠隔操作部１３ｂからの操作指示が、前記送信装置１２を介して送信され、これにより、前記サイドスリップテスター（図示せず）の受信装置が受信し、該サイドスリップテスターが操作されるようになる。
【００５７】
従って、各装置のリモコンを持たずに、車両の運転や、点検、計測ができるようになる。
【００５８】
なお、前記演算処理装置１３の全部又は一部を、前記頭部装着型表示装置１１と無線接続したパソコン等の演算記憶処理装置に設けて、該演算記憶処理装置と有線又は無線で接続された各種装置を遠隔操作するようにしてもよい。
【００５９】
また、複数の頭部装着型表示装置１１を用い、複数の作業員が同時に点検作業を行えるようにしても良い。
【実施例３】
【００６０】
本発明の第３実施例の頭部装着型表示装置を用いた車両の検査補助装置は、検査装置等からの計測値等を表示する指示計等表示装置に関するものである。
【００６１】
本発明の第３実施例の指示計等表示装置は、図４に示すように、眼鏡型ウェアラブル表示装置などの頭部装着型表示装置１４からなり、該頭部装着型表示装置１４は、例えば、眼鏡５に装着される本体部６と、映像（画像を含む）が表示される、装着者が視認可能な表示部７とよりなり、前記本体部６には、送受信装置１５と、音声入力部（図示せず）と、演算処理装置１６とが設けられている。
【００６２】
該演算処理装置１６には、前記音声入力部からの音声の内容を認識する音声認識部１６ａと、データ表示処理部１６ｂと、各種の演算処理を実行させる実行処理部１６ｃとを有し、該データ表示処理部１６ｂは、サイドスリップやブレーキやスピード等を検査するための検査装置や各種表示装置などの検査ストール内にある各装置に、該装置からの各種データを前記頭部装着型表示装置１４に送信するように指示すると共に、受信した前記各種データを前記表示部７に表示させるようにする。
【００６３】
本発明の第３実施例においては、点検作業員が、前記頭部装着型表示装置１４の音声入力部に、例えば、サイドスリップテスターなどの装置のデータを表示させる旨を音声入力することにより、該サイドスリップテスターに、必要なデータを送信する旨の指示が、前記送受信装置１５を介して送信されて、そして、該サイドスリップテスター（図示せず）の送受信装置が受信し、該サイドスリップテスターは、要求された必要なデータを前記送受信装置を介して、前記頭部装着型表示装置１４に送信するようになる。
【００６４】
そして、該頭部装着型表示装置１４の前記送受信装置１５が、前記必要なデータを受信し、前記表示部７に、例えば、図５に示すように、横滑り量など必要なデータが表示されるようになる。
【００６５】
従って、車両の操作を行いながら、各計測値などを確認することができるようになる。
【００６６】
また、車両の長さや高さによっては、指示計等を見ることができないような場合でも、各測定値などを確認することができるようになる。
【００６７】
なお、前記演算処理装置１６の全部又は一部を、前記頭部装着型表示装置１４と無線接続したパソコン等の演算記憶処理装置に設けて、該演算記憶処理装置と有線又は無線で各種装置を接続し、各種装置からのデータを表示するようにしてもよい。
【産業上の利用可能性】
【００６８】
本発明の頭部装着型表示装置を用いた記録装置は、車検整備場や、車両整備工場等に用いられる。
【符号の説明】
【００６９】
１      点検記録装置
２      頭部装着型表示装置
３ａ    送受信装置
３ｂ    送受信装置
４      演算記憶処理装置
４ａ    表示装置
４ｂ    入出力装置
５      眼鏡
６      本体部
７      表示部
８      撮像装置
９      記憶部
９ａ    車両データ記憶部
９ｂ    点検項目データ記憶部
９ｃ    点検結果データ記憶部
９ｄ    撮像データ記憶部
１０    演算処理部
１０ａ  音声認識部
１０ｂ  車両認識部
１０ｃ  実行処理部
１１    頭部装着型表示装置
１２    送信装置
１３    演算処理装置
１３ａ  音声認識部
１３ｂ  遠隔操作部
１３ｃ  実行処理部
１４    頭部装着型表示装置
１５    送受信装置
１６    演算処理装置
１６ａ  音声認識部
１６ｂ  データ表示処理部
１６ｃ  実行処理部
【図１】
2018179954.tif 000003
【図２】
2018179954.tif 000004
【図３】
2018179954.tif 000005
【図４】
2018179954.tif 000006
【図５】
2018179954.tif 000007